(57)【要約】【課題】チェックバルブのチェックヘッドとチェックリングとの間に齧りが発生し摩耗が進展することのないインラインスクリュ式射出成形機及び制御方法の提供。【解決手段】インラインスクリュ式射出成形機が、予め定められた規定ＰＶ値の記憶されており、成形機の操作者により各種設定値が入力されると、その設定値が表示され、操作者により入力される背圧とスクリュ回転数とに基づいてＰＶ値が算出され、算出されたＰＶ値がＰＶ値記憶手段に記憶されている規定ＰＶ値の範囲内に収まるか否かの判定を行い、入力された背圧とスクリュ回転数とに基づいて算出されるＰＶ値が、規定ＰＶ値記憶手段に記憶されている規定ＰＶ値の範囲内に収まる場合には、入力された背圧とスクリュ回転数とを指定値として設定し、その背圧とスクリュ回転数とを射出成形機の制御値として出力する。【選択図】図６
2018069574.tif 000002
【特許請求の範囲】
【請求項１】
加熱シリンダ内に設けたスクリュを回転させながら後退させて溶融樹脂の計量を行った後に前記スクリュを前進させて、前記加熱シリンダの先端に装着した射出ノズルから金型のキャビティ内に溶融樹脂を射出するインラインスクリュ式射出成形機であって、
前記スクリュの先端部分には、チェックヘッド、チェックリング及びチェックシートの３部材から成る溶融樹脂の逆流を防止するチェックバルブを備えており、
さらに、当該成形機は、その操作・制御の際の各種の設定値を入力し、当該入力値を表示し、当該入力値に従って当該成形機を制御する入力・表示・制御手段を備えており、
当該入力・表示・制御手段は、操作者により入力される各種設定値を入力して表示する入力・表示手段と、予め定められた規定ＰＶ値の記憶手段と、操作者により入力される背圧とスクリュ回転数とに基づいて算出されるＰＶ値が、前記規定ＰＶ値記憶手段に記憶されている規定ＰＶ値の範囲内に収まるか否かの判定を行うＰ値・Ｖ値判定手段と、前記入力された背圧とスクリュ回転数とに基づいて算出されるＰＶ値が、前記規定ＰＶ値記憶手段に記憶されている規定ＰＶ値の範囲内に収まる場合には、入力された背圧とスクリュ回転数とを指定値として設定する背圧・スクリュ回転数設定手段と、その背圧とスクリュ回転数とを当該成形機の制御値として出力する背圧・回転数出力手段とを備えていることを特徴とするインラインスクリュ式射出成形機。
【請求項２】
前記背圧とスクリュ回転数を入力する際に、何れか一方を入力した際には、他方の数値を入力することにより、当該入力された背圧とスクリュ回転数により算出されたＰＶ値が前記規定ＰＶ値を超える場合には、前記他方の数値の入力を阻止する手段を備えたことを特徴とする請求項１記載のインラインスクリュ式射出成形機。
【請求項３】
加熱シリンダ内に設けたスクリュを回転させながら後退させて溶融樹脂の計量を行った後に前記スクリュを前進させて、前記加熱シリンダの先端に装着した射出ノズルから金型のキャビティ内に溶融樹脂を射出するインラインスクリュ式射出成形機を用いた成形制御方法であって、
前記スクリュの先端部分には、チェックヘッド、チェックリング及びチェックシートの３部材から成る溶融樹脂の逆流を防止するチェックバルブを備えており、
さらに、当該成形機は、その操作・制御の際の各種の設定値を入力し、当該入力値を表示し、当該入力値に従って当該成形機を制御する入力・表示・制御手段を備えており、
当該入力・表示・制御手段には、予め定められた規定ＰＶ値が記憶されており、当該成形機の操作者により各種設定値が入力されると、その設定値が表示され、操作者により入力される背圧とスクリュ回転数とに基づいてＰＶ値が算出され、当該算出されたＰＶ値が前記規定ＰＶ値記憶手段に記憶されている規定ＰＶ値の範囲内に収まるか否かの判定を行い、前記入力された背圧とスクリュ回転数とに基づいて算出されるＰＶ値が、前記規定ＰＶ値記憶手段に記憶されている規定ＰＶ値の範囲内に収まる場合には、入力された背圧とスクリュ回転数とを指定値として設定し、その背圧とスクリュ回転数とを当該成形機の制御値として出力することを特徴とするインラインスクリュ式射出成形機の成形制御方法。
【発明の詳細な説明】
【技術分野】
【０００１】
本発明は、インラインスクリュ式射出成形機に係り、特に、スクリュに逆流防止弁として設けたチェックリングの耐摩耗手段を備えたインラインスクリュ式射出成形機およびその成形制御方法に関する。
【背景技術】
【０００２】
インラインスクリュ式射出成形機による成形においては、インラインスクリュ式射出成形機の加熱シリンダ内に原料である粒状の熱可塑性樹脂を送り込み、加熱シリンダ内に設けられたスクリュの回転により樹脂を溶融しながらスクリュ先端の射出ノズル側に所定量だけ送り出し、スクリュの前進により射出ノズルから金型装置のキャビティ内に溶融樹脂を射出し、キャビティ内で溶融樹脂を冷却させ固化させた後、金型装置を開き、突出しピンなどにより金型に張り付いている成形物を金型から外すことにより、成形体が成形される。
【０００３】
このようなインラインスクリュ式射出成形機には、射出時（１次射出時および保圧時）に溶融樹脂がスクリュヘッドの前方側から後方側にバックフロー（逆流）するのを防止するために、逆流防止弁（チェックバルブ）が設けられているのが一般的である。
【０００４】
図７（ａ）及び（ｂ）は、従来のインラインスクリュ式射出成形機の樹脂計量及び射出の際の機能を説明する図であり、スクリュに設けられた逆流防止弁の機能を示す図である。
図７において、５１は、加熱シリンダ、５２は、加熱シリンダ５１内に回転並びに前後進可能に配設されたスクリュである。スクリュ５２は、外周にネジ部を形成したスクリュ本体５３（先端部分のみ図示）と、スクリュ本体５３の前端側（図７の左側）に設けられたスクリュヘッド５４とからなっている。５５は、スクリュヘッド５４のスクリュ本体５３からの突出部位の後半分側（図７の右側）に遊挿されており、加熱シリンダ５１の内周面に接した状態で軸方向に所定量だけ移動可能かつ回転可能とされたチェックリングである。５６は、スクリュ本体５３の前端面とスクリュヘッド５４との間に挟持されたチェックシート（弁座）である。スクリュヘッド５４におけるチェックリング５５の遊挿部分には溝５４ａが形成されていて、これにより、スクリュヘッド５４とチェックリング５５との間に樹脂通路を形づくっている。
【０００５】
図７に示すスクリュ先端の構成において、図７（ａ）の計量工程時には、スクリュ５２は、計量用サーボモータ（図示なし）により所定方向に回転駆動され、スクリュ５２の後部側に供給された原料樹脂は、混練・可塑化されつつ溶融し、溶融樹脂はスクリュ５２のネジ送り作用によって前方（図７左側）に移送される。これにより樹脂は前方に移送され、その前方移送によって発生する圧力で、図７（ａ）に示すように、チェックリング５５はチェックシート５６から離間した状態となる。溶融樹脂は、チェックリング５５とチェックシート５６との間に形成された隙間、及びスクリュヘッド５４とチェックリング５５との間の樹脂通路（溝５４ａ）を通って、スクリュヘッド５４の前方側に送り込まれ、これによって、スクリュ５２は後退する。このとき、圧力フィードバック制御で駆動制御される射出用サーボモータ（図示なし）の駆動力により、スクリュ５２には所定の後退抵抗（背圧）が与えられ、これにより、スクリュヘッド５４の前方側に送られた溶融樹脂には所定の圧力が付与されて、一定量の溶融樹脂が貯えられる。
【０００６】
一方、図７（ｂ）に示す射出工程の１次射出工程では、スクリュ５２は、速度フィードバック制御で駆動制御される射出用サーボモータ（図示なし）により前進駆動され、スクリュヘッド５４の前方側に貯えられた所定量の溶融樹脂は金型内に射出される。そして、この射出動作時のスクリュヘッド５４の前方側の溶融樹脂からの反力によって、チェックリング５５は後退方向（図７右側）への圧力を受け、図７の（ｂ）に示すように、チェックリング５５はチェックシート５６に密着した状態となって、溶融樹脂がスクリュヘッド５４の後ろ側へとバックフローするのが防止される。
【０００７】
１次射出工程に引き続く射出工程の保圧工程においては、スクリュ５２には、圧力フィードバック制御で駆動制御される射出用サーボモータ（図示なし）の駆動力により所定の圧力（所定の保圧力に相当する圧力）が付加されて、これにより、金型内の樹脂が固化・収縮するのに伴って、樹脂が金型内に収縮量に応じて補充される。この保圧工程においても、チェックリング５５は後退方向の圧力を受けており、チェックリング５５がチェックシート５６に密着した状態を維持されるようになっている。
【０００８】
以上のようなチェックリング機構を用いた場合には、上記のような逆流防止弁は、経時使用により、特に、チェックリング５５とチェックシート５６の間の接触面に摩耗が生じ、摩耗が進行すると予期せぬバックフローをひき起こすことにもなりかねない。このバックフローはその程度が小さい場合には、成形品の外観には反映されないことが多く、作業者はバックフローが生じていることに気が付きにくいのが現状であり、ショートショットとなるほどバックフロー量が多くなって、始めて作業者が気付くということも稀ではない。
【０００９】
チェックリングの磨耗を抑止することで耐久性を向上し、計量工程を高精度で安定的に行うことを課題としたインラインスクリュ式射出成形機が、特許文献１（特開２０１０−６０１２号公報）として開示されている。
【００１０】
特許文献１には、加熱シリンダ内に設けたスクリュを回転させながら後退させて溶融樹脂の計量を行い、該計量工程後にスクリュを前進させて加熱シリンダの先端に装着した射出ノズルから金型のキャビティに溶融樹脂を射出するインラインスクリュ式射出成形機において、スクリュの先端に構成されるヘッドを、軸受部材を介してスクリュ本体に回転自在に装着する。スクリュ本体が回転されることにより射出ノズル側へ溶融樹脂が送り出され計量工程が行われている際、スクリュ本体の回転に伴ってヘッドが回転されることを軸受部材で抑止することができるので、スクリュ本体が回転されても、チェックリングが加熱シリンダの内壁面と摺動して磨耗することを回避することができるインラインスクリュ式射出成形機が開示されている。
【先行技術文献】
【特許文献】
【００１１】
【特許文献１】特開２０１０−６０１２号公報
【発明の概要】
【発明が解決しようとする課題】
【００１２】
逆流防止弁（チェックバルブ）として、チェックヘッド、チェックリング及びチェックシートの３部材を用いる構成の丸型タイプの場合には、チェックリングとチェックヘッドが面接触し、チェックヘッドとチェックリング間が摩耗してしまうことがある。また、インラインスクリュ式射出成形機では、当該成形機の操作における各種の設定値が作業者により設定できる構成となっているが、計量工程における計量条件の設定によっては、このチェックヘッドとチェックリングとの間の摩耗が著しくなる。
【００１３】
本願発明者は、チェックヘッド、チェックリング及びチェックシートの３部材から成る逆流防止弁（チェックバルブ）を用いる場合には、チェックヘッドとチェックリングとの間の摩耗が、背圧とスクリュ回転数に大きく影響されることを見出した。このようなチェックヘッドとチェックリングとの間の摩耗は、チェックヘッドとチェックリングとが何らかの係止手段により供回りをするように構成されたものでなければ、チェックヘッドやチェックリングの構造的要因によるものよりも、非供回り方式のものに必然的に発生する相対的な回転接触により顕著に表れる。
【００１４】
これは、チェックバルブに用いられる鋼材の材質によっても相違するが、操作者により設定される背圧及びスクリュ回転数により決まるＰＶ値（詳細は後述する）が、限界ＰＶ値（詳細は後述する）を超えると、チェックヘッドとチェックリングとの間に齧りが発生し摩耗に進展することが分かった。このように、チェックバルブに発生する摩耗が、チェックリングのリング断面積に対して作用する背圧（Ｐ  ＭＰａ）と、チェックリングの回転速度（リング外周長での回転数）（ｍ／ｓ）の設定値に影響していることを見出したものである。ＰＶ値の詳細については後述する。
【００１５】
一方、最近では、インラインスクリュ式射出成形機がハイサイクル成形が可能なものとなっており、高速のサイクルに合わせて、高背圧、高速回転数を設定する傾向が見えている。それにより、一段とチェックヘッドとチェックリングとの間の摩耗の危険性が高くなってきている。
【課題を解決するための手段】
【００１６】
本発明のインラインスクリュ式射出成形機は、加熱シリンダ内に設けたスクリュを回転させながら後退させて溶融樹脂の計量を行った後に前記スクリュを前進させて、前記加熱シリンダの先端に装着した射出ノズルから金型のキャビティ内に溶融樹脂を射出するインラインスクリュ式射出成形機であって、
前記スクリュの先端部分には、チェックヘッド、チェックリング及びチェックシートの３部材から成る溶融樹脂の逆流を防止するチェックバルブを備えており、
さらに、当該成形機は、その操作・制御の際の各種の設定値を入力し、当該入力値を表示し、当該入力値に従って当該成形機を制御する入力・表示・制御手段を備えており、
当該入力・表示・制御手段は、操作者により入力される各種設定値を入力して表示する入力・表示手段と、予め定められた規定ＰＶ値の記憶手段と、操作者により入力される背圧とスクリュ回転数とに基づいて算出されるＰＶ値が、前記規定ＰＶ値記憶手段に記憶されている規定ＰＶ値の範囲内に収まるか否かの判定を行うＰ値・Ｖ値判定手段と、前記入力された背圧とスクリュ回転数とに基づいて算出されるＰＶ値が、前記規定ＰＶ値記憶手段に記憶されている規定ＰＶ値の範囲内に収まる場合には、入力された背圧とスクリュ回転数とを指定値として設定する背圧・スクリュ回転数設定手段と、その背圧とスクリュ回転数とを当該成形機の制御値として出力する背圧・回転数出力手段とを備えていることを特徴とする。
【００１７】
さらに、本発明のインラインスクリュ式射出成形機は、前記背圧とスクリュ回転数を入力する際に、何れか一方を入力した際には、他方の数値を入力することにより、当該入力された背圧とスクリュ回転数により算出されたＰＶ値が前記規定ＰＶ値を超える場合には、前記他方の数値の入力を阻止する手段を備えたことを特徴とする。
【００１８】
本発明の成形制御方法は、加熱シリンダ内に設けたスクリュを回転させながら後退させて溶融樹脂の計量を行った後に前記スクリュを前進させて、前記加熱シリンダの先端に装着した射出ノズルから金型のキャビティ内に溶融樹脂を射出するインラインスクリュ式射出成形機を用いた成形制御方法であって、
前記スクリュの先端部分には、チェックヘッド、チェックリング及びチェックシートの３部材から成る溶融樹脂の逆流を防止するチェックバルブを備えており、
さらに、当該成形機は、その操作・制御の際の各種の設定値を入力し、当該入力値を表示し、当該入力値に従って当該成形機を制御する入力・表示・制御手段を備えており、
当該入力・表示・制御手段には、予め定められた規定ＰＶ値が記憶されており、当該成形機の操作者により各種設定値が入力されると、その設定値が表示され、操作者により入力される背圧とスクリュ回転数とに基づいてＰＶ値が算出され、当該算出されたＰＶ値が前記規定ＰＶ値記憶手段に記憶されている規定ＰＶ値の範囲内に収まるか否かの判定を行い、前記入力された背圧とスクリュ回転数とに基づいて算出されるＰＶ値が、前記規定ＰＶ値記憶手段に記憶されている規定ＰＶ値の範囲内に収まる場合には、入力された背圧とスクリュ回転数とを指定値として設定し、その背圧とスクリュ回転数とを当該射出成形機の制御値として出力することを特徴とする。
【発明の効果】
【００１９】
本発明は、計量工程時の背圧及びスクリュ回転速度の設定時に、鋼材の限界ＰＶ値を考慮することによって、背圧及びスクリュ回転速度の設定が上限値を越えることがなく、チェックヘッドとチェックリングとの間の齧りが発生し摩耗が進展することがないものである。
【図面の簡単な説明】
【００２０】
【図１】本発明の実施例のインラインスクリュ式射出成形機に構成される射出ユニットを示す正面図である。
【図２】本発明の実施例のインラインスクリュ式射出成形機の射出ユニット先端部に構成されたスクリュの要部を示す斜視図である
【図３】本発明の実施例のインラインスクリュ式射出成形機において、計量工程が行われる際の要部の位置関係を示す断面図である。
【図４】本発明の実施例のインラインスクリュ式射出成形機において、射出工程が行われる際の要部の位置関係を示す断面図である。
【図５】本発明の実施例のインラインスクリュ式射出成形機の逆流防止弁の詳細構造を示す部分断面図である。
【図６】本発明の実施例のインラインスクリュ式射出成形機において、用いられる設定値入力・表示・制御手段の構成を示す機能ブロック図である。
【図７】従来の逆流防止弁（チェックバルブ）の構成と作用を説明する断面図であり、（ａ）は計量時の状態を示し、（ｂ）は射出時の状態を示す図である。
【発明を実施するための形態】
【００２１】
まず、本発明において使用するＰＶ値とは何かの説明をする。本発明において、ＰＶ値とは、下記のとおりの、背圧に関係する圧力Ｐとスクリュ回転数に関係する周速度Ｖとの積（Ｐ×Ｖ）で表される値であり、逆流防止弁（チェックバルブ）を構成する鋼材の材質によっても相違するものであるが、本願発明者は、一般的に使用されているＫＰＳ６の場合についてより詳細に検証して、以下のとおりの特定のＰＶ値（限界ＰＶ値＝ＰＶ値×安全率）を導き出すことに成功している。
ＰＶ値（ＭＰａ・ｍ／ｓ）＝Ｐ×Ｖ
ただし
Ｐ（ＭＰａ）＝（リング断面積×背圧（面圧ＭＰａ））／（接触面積）
Ｖ（ｍ／ｓ）＝回転数×リング外周長
以下に、スクリュ外径が１６ｍｍの場合における回転数と背圧の式を示す。
回転数≦１２.０／（５.４５×１０−３×背圧）
背圧≦１２.０／（５.４５×１０−３×回転数）
なお、スクリュ外径が相違すれば、５.４５×１０−３とした数値は相違するものであるので、適切な数値は、夫々のスクリュ外径で実証的に求められるべきである。
【００２２】
以下に、インラインスクリュ式射出成形機の逆流防止弁（チェックバルブ）を構成する鋼材として一般的に使用されているＫＰＳ６の場合のＰＶ値と限界ＰＶ値の一例を示す。
【表１】
2018069574.tif 000003
【００２３】
つまり、本発明は、計量工程時の背圧及び周速度の設定時に、このＰＶ値を越えないように背圧Ｐ及び周速度Ｖを規定の範囲内で設定することができるインラインスクリュ式射出成形機を提供するものであり、チェックヘッドとチェックリングとの間の齧りの発生を防止する効果を奏するものである。
【実施例】
【００２４】
以下、本発明を実施するための形態としての実施例を図１〜図６により説明する。もちろん、本発明は、図示により説明した実施例の構成に限定されるものではなく、その発明の趣旨に反しない範囲で当業者が容易に変更可能な実施例に対しても適用可能なことは説明を要するまでもない。
【００２５】
図１は、本発明の一実施例におけるインラインスクリュ式射出成形機に構成される射出ユニットを示す正面図、図２は射出ユニットに構成されたスクリュ先端部の要部を示す斜視図である。
【００２６】
図１に示すように、インラインスクリュ式射出成形機に構成された射出ユニット１は、スクリュ２を回転させて計量された溶融樹脂を射出ノズル３から金型のキャビティ内に射出することができ、射出ユニット１の上方位置には溶融樹脂の原料となる粒状の樹脂（ペレット）が投入されるホッパ４を有しており、ホッパ４からその下方に設けられた筒型の加熱シリンダ５内にペレットが自重により落下して投入され、投入されたペレットは、駆動源としてのスクリュ回転駆動モータ６を回転することでスクリュ２が回転され、加熱シリンダ５で加熱・溶融され、加熱シリンダ５の先端に装着された射出ノズル３側に所定量の溶融樹脂が送り出される。なお、インラインスクリュ式射出成形機の型締めユニット等に関しては、周知のものを適用すればよいので、その詳細については省略する。
【００２７】
加熱シリンダ５内に設けられたスクリュ２は、溶融樹脂をスクリュ前進側（各図の左側）に送り出す螺旋状溝部が形成されたスクリュ本体２ａと、逆流防止弁（チェックバルブ）２０とからなり、この逆流防止弁２０は、スクリュ本体２ａの前端部に装着されたチェックヘッド８と、溶融樹脂の逆流を抑えるチェックリング１０と、チェックシート１１とから構成されている。このように、本発明の逆流防止弁（チェックバルブ）２０は、チェックヘッド８、チェックリング１０及びチェックシート１１の３部材から成っている。その詳細は図５に一部断面図を示す。チェックヘッド８は、円錐状部８ａと軸部８ｂとから成り、溶融樹脂の逆流を抑えるチェックリング１０は、チェックヘッド８の軸部８ｂに装着され、チェックシート１１は、軸支部７によりスクリュ本体２ａの先端に保持されている。なお、チェックリング１０は軸部８ｂに回転可能に挿通されており、スクリュの軸線方向には進退可能に設けられている。
【００２８】
また、図１に示すように、加熱シリンダ５の内壁面１２には、チェックリング１０の外周面１３が摺動自在に設けられており、計量工程（図３）の際には、チェックリング１０は樹脂圧により前進（図示左側）されるようになっている。
【００２９】
次に、図３及び図４により、射出ユニット１の作動について以下に説明する。図３は、本発明の実施例のインラインスクリュ式射出成形機において、計量工程が行われる初期の段階の要部の位置関係を示す断面図であり、図中のスクリュ内に表示された白矢印は、スクリュが後退する方向を示している。図４は、本発明の実施例のインラインスクリュ式射出成形機において、射出工程が終了する直前の要部の位置関係を示す断面図であり、図中のスクリュ内に表示された白矢印は、スクリュが前進してきた方向を示している。
【００３０】
先ず、ホッパ４から樹脂ペレットが投入されると、加熱シリンダ５内で溶融した溶融樹脂が、スクリュ２の回転に伴って射出ノズル３側に供給されてゆく。このようにして、射出ノズル３の先端側に溜められてゆく所定の樹脂圧によって、金型のキャビティに射出される一定量の溶融樹脂の計量が行われる。
【００３１】
この計量工程においては、スクリュ本体２ａの回転により送り出されてきた溶融樹脂は、チェックリング１０に形成した円筒部１０ａ、及び、ヘッドに形成した複数の樹脂供給溝部９（図２）を介して射出ノズル３の先端側へ送り出され、図３に示すように、チェックリング１０は送り出される溶融樹脂の圧力により前進（図３に示す左側）し、チェックリング１０とチェックシート１１間に間隙が形成される。
【００３２】
なお、計量工程が行われているときには、スクリュ２は溶融樹脂の送り出しのために回転されるが、チェックヘッド８は、スクリュ２に装着されていることから、チェックヘッド８に装着されたチェックリング１０においては、スクリュ２の回転に連れて回転される。このように、図３に示す計量工程においては、樹脂圧によりチェックヘッド８の後部（図示右側）にチェックリング１０の前部（図示左側）が押圧され接触されることになる。これにより、チェックヘッド８及びチェックリング１０は、スクリュ本体２ａの回転力が伝達されるが、チェックリング１０とチェックシート１１との間には相対的な回転運動が発生し、これにより相互に摺動して磨耗することが考えられるので、それに対する対策を必要とする。それが、正に本発明である。
【００３３】
次に、上述の計量工程が終了すると、それとほぼ同時に、スクリュ本体２ａ及びチェックヘッド８等からなるスクリュ２は一体的に高速に前進され、射出ノズル３の先端側に溜められた溶融樹脂は金型のキャビティ内に射出される。
この射出工程においては、スクリュ２の前進に伴って、チェックリング１０の後部（図示右側）はチェックシート１１の前部（図示左側）に押圧・接触された状態（図４に示した状態）で、射出ノズル３の先端側へ送り出された一定量の溶融樹脂は、チェックリング１０のバルブ機能により、後方（図示右側）へと逆流しないように抑止される。
【００３４】
以上のように本発明のインラインスクリュ式射出成形機においては、加熱シリンダ５内に設けたスクリュ２を回転させながら後退させて溶融樹脂の計量を行い、該計量工程後にスクリュ２を前進させて加熱シリンダ５の先端に装着した射出ノズル３から金型のキャビティに溶融樹脂を射出するインラインスクリュ式射出成形機であって、スクリュ２の先端に、溶融樹脂を回転しながら送り出すスクリュ本体２ａの先端にチェックヘッド８、チェックリング１０及びチェックシート１１の３部材から成る逆流防止弁（チェックバルブ）を備えている。
【００３５】
図６により、本発明のインラインスクリュ式射出成形機は、その操作・制御の際の各種の設定値を入力し、当該入力値を表示し、当該入力値に従って当該成形機を制御する入力・表示・制御手段４０を備えている。
【００３６】
本発明のインラインスクリュ式射出成形機の入力・表示・制御手段４０は、操作者により入力される各種設定値を入力して表示する入力・表示手段４１と、予め定められた規定ＰＶ値の記憶手段４２と、操作者により入力される背圧とスクリュ回転数とに基づいて算出されるＰＶ値が、規定ＰＶ値記憶手段に記憶されている規定ＰＶ値の範囲内に収まるか否かの判定を行うＰ値・Ｖ値判定手段４３と、入力された背圧とスクリュ回転数とに基づいて算出されるＰＶ値が、規定ＰＶ値記憶手段に記憶されている規定ＰＶ値の範囲内に収まる場合には、入力された背圧とスクリュ回転数とを指定値として設定する背圧・スクリュ回転数設定手段４４と、その背圧とスクリュ回転数とを当該インラインスクリュ式射出成形機の制御値として出力する背圧・回転数出力手段４５とを備えている。
【００３７】
このような構成により、本発明の成形制御方法においては、入力・表示・制御手段４０に対して、予め定められた規定ＰＶ値が記憶されているので、成形機の操作者により各種設定値が入力されると、その設定値が表示され、操作者により入力される背圧とスクリュ回転数とに基づいてＰＶ値が算出され、算出されたＰＶ値が前記規定ＰＶ値記憶手段に記憶されている規定ＰＶ値の範囲内に収まるか否かの判定を行う。
【００３８】
この際の判定により、入力された背圧とスクリュ回転数とに基づいて算出されるＰＶ値が、前記規定ＰＶ値記憶手段に記憶されている規定ＰＶ値の範囲内に収まる場合には、入力された背圧とスクリュ回転数とを指定値として設定して、その背圧とスクリュ回転数とを当該射出成形機の制御値として出力する。そして、入力された背圧とスクリュ回転数とに基づいて算出されるＰＶ値が、規定ＰＶ値記憶手段に記憶されている規定ＰＶ値の範囲内に収まらないと判定した場合には、設定の限界を超えていることを、何らかの手段により操作者に伝達する。
【００３９】
その際の伝達方法は、いずれ手段によっても可能である。例えば、入力された背圧とスクリュ回転数とに基づいて算出されるＰＶ値が、規定ＰＶ値記憶手段に記憶されている規定ＰＶ値の範囲内に収まらないと判定した場合には、後で入力する値を入力しようとした場合に、入力した数値を赤で表記するとともに、警告音を出して入力を受け付けない旨（すなわち、入力を阻止）を通知するようにしてもよい。また、「適切な値を表示しますか？」とのガイダンスにより操作者が「ＯＫ」等のボタンを押すことにより、規定ＰＶ値の範囲内に収まる数値を表示しても良い。
【符号の説明】
【００４０】
１  インラインスクリュ式射出成形機に構成された射出ユニット
２  スクリュ
２ａ  スクリュ本体
３  射出ノズル
４  ホッパ
５  加熱シリンダ
６  スクリュ回転駆動モータ（駆動源）
８  チェックヘッド
９  樹脂供給溝部
１０  チェックリング
１１  チェックシート
２０  逆流防止弁（チェックバルブ）
４０  入力・表示・制御手段
４１  入力・表示手段
４２  規定ＰＶ値記憶手段
４３  背圧・回転数判定手段
４４  背圧・回転数設定手段
４５  背圧・回転数出力手段
４６  背圧・回転数出力
【図１】
2018069574.tif 000004
【図２】
2018069574.tif 000005
【図３】
2018069574.tif 000006
【図４】
2018069574.tif 000007
【図５】
2018069574.tif 000008
【図６】
2018069574.tif 000009
【図７】
2018069574.tif 000010